(57)【要約】  多数の電気自動車および多数の充電ポイントが接続される送電網のための送電網管理システムであって、各充電ポイントは電力供給装置および電力供給装置を電気自動車に接続する電力インタフェースを含み、本システムは、個々の電気自動車の特性および／または接続された個々の充電ポイントの特性を考慮に入れることによって、送電網上の負荷を動的に管理する負荷管理モジュールを含む。【選択図】図３
2021536725.tif 000002
【特許請求の範囲】
【請求項１】
多数の電気自動車および多数の充電ポイントが接続される送電網のための送電網管理システムであって、各充電ポイントは電力供給装置と前記電力供給装置を電気自動車に接続する電力インタフェースとを含み、
前記システムは、個々の電気自動車の特性および／または個々の充電ポイントの特性を考慮に入れることによって、前記送電網上の負荷を動的に管理する負荷管理モジュールを含む、
送電網管理システム。
【請求項２】
前記電気自動車の特性は、自動車の製造業者、モデル、自動車オプション、最高速度、ユーザー行動の履歴、電池特性を含む、請求項１に記載のシステム。
【請求項３】
前記充電ポイントの特性は、充電ポイントの製造業者、モデル、特徴／機能、電力変調技術、自動車インタフェースの電力のタイプ、前記送電網内の地理的位置、を含む、請求項１または請求項２に記載のシステム。
【請求項４】
前記負荷管理モジュールは、各充電ポイントから引き出すことができる最大電力であり、前記自動車に供給できる前記最大電力を計算する、請求項１〜３のいずれか１項に記載のシステム。
【請求項５】
前記負荷管理モジュールは、前記複数の充電ポイントにおいて電力需給をリアルタイムで管理する、請求項１〜４のいずれか１項に記載のシステム。
【請求項６】
前記電力インタフェースはケーブルである、請求項１〜５のいずれか１項に記載のシステム。
【請求項７】
前記電力インタフェースは無線電力インタフェースである、請求項１〜６のいずれか１項に記載のシステム。
【請求項８】
電気自動車が充電ポイントにアクセスするとき、前記システムは、前記電気自動車の特性をリアルタイムで検出する、請求項１〜７のいずれか１項に記載のシステム。
【請求項９】
前記システムは、検出された電気自動車の特性および／または検出された充電ポイントの特性の関数として固有の充電パターンまたはモデルを決定する、請求項１〜８のいずれか１項に記載のシステム。
【請求項１０】
前記負荷管理モジュールは、次の充電セッションのパラメータを含む、各電気自動車に対するエンドユーザー要求を受信する、請求項１〜９のいずれか１項に記載のシステム。
【請求項１１】
前記負荷管理モジュールは、前記エンドユーザー要求を考慮に入れて、電力を前記送電網から前記自動車へ供給する最適な費用効率の期間を計算する、請求項１０に記載のシステム。
【請求項１２】
前記負荷管理モジュールは、前記エンドユーザー要求を考慮に入れて、環境影響に基づき、電力を前記送電網から前記自動車へ供給する最適な時間および／または期間を計算する、請求項１０に記載のシステム。
【請求項１３】
前記次の充電セッションの前記パラメータは、充電が必要な時間もしくは日付、必要な距離または必要な電力を含む、請求項１０または１２に記載のシステム。
【請求項１４】
前記負荷管理モジュールは、ユーザー行動の履歴を受信して記録する、請求項１〜１３のいずれか１項に記載のシステム。
【請求項１５】
前記システムはユーザー要求およびユーザー行動を追跡して記録する、請求項１〜１４のいずれか１項に記載のシステム。
【請求項１６】
前記システムは、機械学習技術を使用して将来の自動車の使用を予測する、請求項１〜１５のいずれか１項に記載のシステム。
【請求項１７】
接続された装置上で実行しているアプリケーションを介してエンドユーザー要求を受信する、請求項１〜１６のいずれか１項に記載のシステム。
【請求項１８】
前記負荷管理モジュールは、現在の気象データおよび気象予測データを考慮に入れて、次に予定された走行の環境への影響を予測する、請求項１〜１７のいずれ１項に記載のシステム。
【請求項１９】
前記システムは、予想される費用をエンドユーザーに出力する、請求項１〜１８のいずれか１項に記載のシステム。
【請求項２０】
前記システムは、予想される環境への影響を前記エンドユーザーに出力する、請求項１〜１９のいずれか１項に記載のシステム。
【請求項２１】
前記システムは、共有輸送ソリューション、自転車または公共交通機関などの他の利用可能な選択肢を出力する、請求項１〜２０のいずれか１項に記載のシステム。
【請求項２２】
前記システムは、確率モデルに基づいて電気自動車の充電事象を予測するように構成される、請求項１〜２１のいずれか１項に記載のシステム。
【請求項２３】
前記確率モデルは、電気自動車の特性、エンドユーザープロファイル、および充電ポイントの特性などの、充電関連データを考慮に入れる、請求項２２に記載のシステム。
【請求項２４】
前記確率モデルは、次のプラグインおよびプラグアウト事象を予測するために、電気自動車がプラグインおよびプラグアウトされるたびに追跡して記録する、請求項２２または２３に記載のシステム。
【請求項２５】
前記確率モデルは、プラグインおよびプラグアウト事象において充電状態を追跡して記録する、請求項２２〜２４のいずれか１項に記載のシステム。
【請求項２６】
前記確率モデルは、次の走行のエネルギー必要量を予測する、請求項２２〜２５のいずれか１項に記載のシステム。
【請求項２７】
前記確率モデルは、予測された次の走行と関連付けられた最適化充電プロファイルに対する前記パラメータを出力する、請求項２２〜２６のいずれか１項に記載のシステム。
【請求項２８】
前記確率モデルは、電気自動車の大きなグループの集合的な行動を予測する、請求項２２〜２７のいずれか１項に記載のシステム。
【請求項２９】
多数の電気自動車および多数の充電ポイントが送電網に接続される送電網管理のための方法であって、各充電ポイントは電力供給装置と前記電力供給装置を電気自動車に接続する電力インタフェースとを含み、
前記方法は、個々の電気自動車の特性および／または個々の充電ポイントの特性を考慮に入れることによって、前記送電網上の負荷を動的に管理することを含む、
送電網管理のための方法。
【発明の詳細な説明】
【技術分野】
【０００１】
本発明の分野は電気自動車送電網管理システムおよび方法に関する。
【０００２】
本特許文書の開示の一部は、著作権保護の対象となる資料を含む。著作権所有者は、その特許文書または特許開示の、それが特許商標局特許ファイルまたは記録に記載されている通り、誰による複写にも異存はないが、それ以外の場合は、何であれ全ての著作権を留保する。
【背景技術】
【０００３】
電気自動車（ＥＶ）およびプラグインハイブリッドＥＶは、ますます普及が進んでいる。それらは、電気をモーターに供給する電池によって電力供給され、定期的に再充電する必要がある。
【０００４】
利用可能な数少ないＥＶ送電網負荷管理ソリューションは、接続されていて動作可能な充電器数に基づいて負荷分担を均等に分散する傾向がある。
【０００５】
負荷管理システムの変化するパラメータに動的に適合して、接続されていて動作可能な充電器数だけに基づくのではない、効率的な電気自動車送電網管理ソリューションが必要とされる。
【発明の概要】
【課題を解決するための手段】
【０００６】
本発明の一態様は、多数の電気自動車および多数の充電ポイントが接続される送電網のための送電網管理システムであり、各充電ポイントは電力供給装置および電力供給装置を電気自動車に接続する電力インタフェースを含み、
本システムは、個々の電気自動車の特性および／または接続された個々の充電ポイントの特性を考慮に入れることによって、送電網上の負荷を動的に管理する負荷管理モジュールを含む。
【０００７】
一例として、本発明の特徴を示す以下の図面を参照して、例示として本発明の態様を説明する。
【図面の簡単な説明】
【０００８】
【図１】図１は、電流および電力パターンのプロファイルを表すプロットを示す図である。
【図２】図２は、電流および電力パターンのプロファイルを表すプロットを示す図である。
【図３】図３は、ユーザー選択システムを示すブロック図である。
【図４】図４は、電気自動車の充電のモデリングおよび予測を説明する図である。
【図５】図５は、電気自動車の充電のモデリングおよび予測を説明する図である。
【図６】図６は、主要な予測およびスケジューリング構成要素を示すブロック図である。
【図７】図７は、テレマティックスなし、およびテレマティックス有りの典型的なワークフローを示すブロック図である。
【図８】図８は、本システムに接続された装置上で実行するアプリケーションのスクリーンショットである。
【図９】図９は、本システムに接続された装置上で実行するアプリケーションのスクリーンショットである。
【図１０】図１０は、本システムに接続された装置上で実行するアプリケーションのスクリーンショットである。
【発明を実施するための形態】
【０００９】
ここで、本発明の実施態様を以下のセクションで説明する：
セクションＡ：特性化パターン
セクションＢ：自動車のドライバーの相互作用
セクションＣ：電気自動車の充電のモデリングおよび予測
セクションＤ：ユーザーアプリケーション
【００１０】
セクションＡ：特性化パターン−制御能力の範囲の決定
【００１１】
電気自動車を送電網負荷管理アプリケーション内の装置として使用できるかどうかは一連の要因によって決まる。総負荷およびその負荷の制御能力は、通常、自動車、充電ポイント、充電ポイントへの給電および自動車を充電ポイントに接続するケーブルによって決まる。
【００１２】
製造業者、モデル、自動車オプションおよびドライバーによって適用された自動車設定などの自動車における違いは、電力需要の最大率および潜在的にその電力需要がいつ生じるかに影響を及ぼす。相互接続ケーブルにおける違いは、ケーブルの容量に従って電力需要が制限される可能性がある。
【００１３】
充電ポイントの製造業者、モデル、特徴／機能および充電器がＩＥＣ  ６１８５規格の実装を通して利用可能な電力を変調するために使用する方式における違いは、電力制御がどのように実行されるかに影響を及ぼす可能性がある。
【００１４】
充電ポイントへの給電における違いは、通常、充電ポイントが給電に適用する最大電力需要を制限するために、充電ポイントにおいて構成される。
【００１５】
これら全ての相違は、サイト／自動車の重要な特性（引き出すことができる最大電力、需要が上下に変化する観点からの電力引出しの制御能力および制御の分解能）を決定する送電網負荷管理システムの能力に直接影響を及ぼし、従って本システムの有効性は正確に判断できない。
【００１６】
さらに、「自動車から送電網へ」機能（自動車および充電ポイント）が使用できるようになると、同じ要因が当てはまるが需要制御および供給制御の両方のシナリオに適用される。
【００１７】
我々のシステムはこれら未知の要因に対処するため、送電網負荷管理システムはサイト／自動車の重要な特性を決定でき、本システムは、一連のターゲット（最大需要、需要の時間）に関連して総電力需要を調整しようとする際に装置のネットワーク内の資産の価値を判断できる。
【００１８】
電気自動車を充電ポイントまたは他の電力供給ポイント（例えば、自動車は家庭内の電源ソケットに接続するポータブルアダプタケーブルで充電され得る）に接続すると、我々のシステムはテスト制御シーケンスを実行する。テスト制御シーケンスは、システムが自動車電力接続の制御能力（それが、電力需要であれ、または自動車から送電網への適用の場合には需要および供給であれ）を判断できるようにする。この制御能力は、自動車が適用できる最大電力需要、電力需要の観点からの制御の分解能および電力需要を停止して別の時期にスケジューリングする機能を決定する。
【００１９】
これは、システムが装置のより幅広いネットワーク内の個々の自動車／サイトの価値をより良く予測するのを可能にし、結果として、システムが全体として制御されているかどうか、およびどれくらいの精度でそれが目標を正確に達成する必要があるかを予測する観点からシステムの精度を向上させる。
【００２０】
本システムは、自動車／ケーブル／充電ポイント／供給特性を確認するために使用される電力需要プロファイルに適用できる複数の「パターン」を有する。
【００２１】
自動車のタイプおよびその状態、ケーブルのタイプ、ならびに充電器のタイプを判断するために、予め決められた充電パターン、または一連の電力出力値が充電器または自動車に適用される。自動車タイプ、自動車状態、ケーブルタイプおよび充電器タイプの異なる組合せは、予め決められた充電パターンに異なる反応を示すため、これら固有の組合せが識別できる。このようにして、本システムは特定の充電事象の固有の特性を検出して、充電動作を最適化できる。
【００２２】
これらのパターンは「谷」または「山」プロファイルのいずれかである。「谷」プロファイルは、現在の電力需要を減少させ、次いで一連のステップで増加させるように要求されている場合であり、そのために本システムは電力需要を減少および増加させるために特定の自動車／ケーブル／充電ポイント／供給の制御能力を測定できる。２つの例が図１および図２に示されている。
【００２３】
「山」プロファイルは、現在の電力需要を増加させ、次いで一連のステップで減少させるように要求されている場合であり、そのために本システムは、現在の電力需要が予期される電力需要よりも低く見える場合に電力需要を増加させるために自動車／ケーブル／充電ポイント／供給の制御能力を測定できる（システムは特定の自動車または充電ポイントに対する以前の電力需要をレコード内に保持し、やがてこれを特定の事象における現在のものと相関させようとし得る）。
【００２４】
セクションＢ：自動車のドライバーの相互作用−自動車の充電の要求される状態の確認およびユーザー柔軟性の決定
【００２５】
電気自動車を送電網負荷管理アプリケーション内の装置として使用できるかどうかは輸送のための自動車のユーザー要求のプロファイリングによって決まる。他の技法ではユーザーに、充電セッションの後、自動車がいつ必要になるかを定義するように要求するが、我々のソリューションは、ユーザーが、自動車の充電に関する効果または他のパラメータ、例えば、費用、使用電力の排出量、エネルギーミックス、特定のエネルギー供給者から電気を購入する能力など、に関連して、輸送要求を優先させる能力を有するように異なって機能する。
【００２６】
自動車が充電される時、ユーザーは、充電の今度のセッションのパラメータおよび、既定もしくは計算された充電スケジュールまたはユーザー定義要求を使用するかどうかを決定するように促される。ユーザー定義の場合、充電セッション後に次に必要な自動車の使用が日付／時刻に関して入力されて、自動車が次に使用される時にその使用を満足するために必要とされるエネルギー量が、ユーザーが質問した時点に対して評価される。ユーザーは、次の充電セッションの前に、実際に必要なエネルギーまたは車で移動する必要のある距離を示すことによって必要なエネルギー量を調整できる。システムは次いで、自動車が次に使用されると予期されるまでの期間および必要なエネルギー量を転送するのにかかる時間を判断して、その期間にわたるエネルギーの費用を分析し、送電網から自動車へエネルギーを供給するために最も費用効率の良い期間を識別することができる。
【００２７】
図３はユーザー選択システムを示すブロック図を示す。
ユーザーが次の走行でもっと長い移動を必要とすれば、より多くのエネルギーが送電網から必要とされ、電気の価格は半時間ごとに変動するので、一般に、最も短い時間が最低価格となる（図３を参照）。ユーザーが電気の必要量を増加または減少させると、表示価格が計算されて示され、そのためその次のセッションのためにユーザーによって電気量／価格を選択するための情報を得た上で決定を行うことができる（セクションＤ−ユーザーアプリケーションを参照）。電気量／価格決定はエネルギーの価格または量のデフォルトとして行うことも、またはユーザーの行動を学習するインテリジェントアルゴリズムによって自動的に調整することもできる。
【００２８】
将来の電力価格に関する情報は、特定の市場データ、特定の電力供給者からの価格設定、再生可能発電に関する気象予報データ、電気自動車のユーザー行動データを含むことができ、それらは全て、価格アルゴリズムによって考慮できる。
【００２９】
このシステムは、ユーザーに自動車の使用時間を入力するように要求しようとするのではなく（ほとんどのユーザーは、仕事のための移動など、明らかな走行以外に明確で決まった使用パターンを有していないので、本質的に欠陥のあるアプローチ）、自動車上の遠隔測定システムまたは充電ポイント通信のいずれかを通して収集されたデータの組合せを通して自動車の使用およびアイドル時間を追跡することによって動作する。本システムは、一個人に対して収集されたデータを使用し、機械学習アルゴリズムを通して、広範な時系列データセットにわたるユーザー行動のパターンおよび他の既知のユーザー特性を他の環境測定（気候リアルタイムデータ、予測気候変動−自動車パターン利用および再生可能低炭素エネルギーの利用可能性の両方に対して使用される）と共に相関させて、自動車の使用の次のポイントを予測する。
【００３０】
ドライバーが自動車の使用を終えるたびに、本システムはドライバーにその自動車を必要とする次回の予測、必要とする予測マイル数、ならびにその次の走行に対して自動車を準備することで予想される費用および環境影響（エネルギー発生を通したＣＯ２生成）を促す。ドライバーは次いで、次の予測より遅かれ早かれ自動車を必要とすること、予測よりも長いかもしくは短い移動を必要とすること、またはそれが自分の輸送要求に対する自動車の有用性に影響を及ぼし得ることに気付いて、自動車の再充電の環境影響のコストを最適化したいというフィードバックをシステムに提供できる（輸送機関が発展するにつれて、自家用車のユーザーは、移動のサービス化または自律走行車などの共有輸送ソリューションおよび車もしくは自転車などの自動車の短期使用に加わるように奨励される可能性が高い）。
【００３１】
セクションＣ：電気自動車の充電のモデリングおよび予測
【００３２】
図４および図５は、電気自動車の充電のモデリングおよび予測を示す図である。
【００３３】
図６は、主要な予測およびスケジューリング構成要素を示すブロック図である。２つの重要事象：電気自動車がＶ１ＧまたはＶ２Ｇ充電器に接続する瞬間（プラグイン）、および電気自動車が接続を外す瞬間（プラグアウト）、が電気自動車充電要求のモデリングおよび予測を推進する。次のプラグイン事象のタイムスタンプＴIN、プラグインにおける充電状態ＳｏＣIN、それに続く次のプラグアウトのタイムスタンプＴOUT、および次のプラグイン事象前の走行の次のセットに対するエネルギー要求ＥNEXTを予測することは、充電制御システムの動作にとって不可欠である。Ｃｒｏｗｄ  Ｃｈａｒｇｅプラットフォームはこれらの変数を予測するためにモデルの行列を使用する。モデル構造のセットＭは、各々がパラメータのセットＰを使用するように開発される。いくつかのパラメータは各モデル構造に共通であり、いくつかのパラメータは各モデル構造に固有である。１つのモデル構造を１セットのパラメータと組み合わせて完全なモデルＭiを形成する。各完全なモデルは電気自動車ＥＶk、ドライバーＤm、および充電器Ｃnの特定の組合せＳpの使用動作を表すために使用される、すなわち、ＳpはＥＶ1、Ｄ1、Ｃ1を含む。そのため、同じ電気自動車を持つ２人の異なるドライバーは、２つの異なる完全なモデル（すなわち、Ｍ1およびＭ2）によって表される。複数の完全なモデルを使用して、電気自動車、ドライバーおよび充電器の同じ固有の組合せを表すことができ、各モデルの精度および有効性は時間およびパラメータ値と共に変わる。例えば、モデルＭ11およびＭ21は両方とも、自動車、ドライバーおよび充電器の同じ組合せＳ1を表すために使用でき得るが、構造およびパラメータは異なる。そのため、モデルのファミリーが、自動車、ドライバーおよび充電器の各組合せの使用行動を予測するために存在する。
【００３４】
Ｃｒｏｗｄ  Ｃｈａｒｇｅシステムは、将来の使用行動の最も正確な推定を提供する可能性が最も高いモデルを選択し、この選択は、新しい情報が、テレマティックス、モバイルアプリケーション、または充電器からのデータなどが利用可能になるので、常に更新されている。どのモデルが最も正確な推定を提供する可能性が最も高いかの判断は、リアルタイムでのモデル予測の軌道追跡と組み合わせた履歴データの確率的解析に基づく。
充電事象が特定の自動車および充電器でいつ起こるかを予測するために、リアルタイムパラメータのモデル予測の軌道追跡と組み合わせた履歴データの確率的解析が使用される。例えば、その充電事象の特性にしたがって次に充電事象がいつ起こるかを予測するために、特定のユーザー、自動車および充電器の行動を表すための最有力候補として３つの行動モデルが選択され得る。本システムは、これら３つの行動モデルのどれが最終的に実際の行動を最も厳密に表しているのか判別できない可能性があるため、各モデルのリアルタイムの発生確率を判断するためにこれらのモデルにリンクされた主要パラメータを監視する。時間の経過とともに、これらの確率は、１つのモデルが最も可能性が高くなり、推定値が実際の行動に落ちる（ｃｏｌｌａｐｓｅ）まで、推移する。各モデルの確率の推移は、経時的に、将来の最も可能性の高い結果を指す、軌道と見なされる。
【００３５】
充電器、自動車、またはドライバーのグループの使用プロファイルの予測を提供するために、Ｃｒｏｗｄ  Ｃｈａｒｇｅシステムはモデルのセット全部をセットのもっと大きなセット、すなわち、モデルのマトリックスに統合する。モデルのこのマトリックスの各メンバーの影響は、時間、およびパラメータ、および新しい情報の流れと共に変化する。モデルのこのマトリックスは、電気自動車、ドライバーおよび充電器の大きなグループの集合的な行動を判断して予測するために使用される。具体的には、特定の今度の充電事象に対してＴIN、ＳｏＣINおよびＴOUTを決定するために使用される。
【００３６】
セクションＤ：ユーザーアプリケーション
【００３７】
図７は、テレマティックスなし、およびテレマティックス有りの典型的なワークフローを示すブロック図である。
【００３８】
図８は、本システムに接続された装置上で実行するアプリケーションのスクリーンショットである。エンドユーザーは事前登録されたカードに基づいて車を選択することが可能である。次に、接続されているもの、またはテレマティックス位置に基づいて充電器が選択される。次に、行動に基づいて次の充電が予測されて、エンドユーザーに表示される。代替として、エンドユーザーは次の充電日付および時刻を手動で選択または変更できる。時間当たりの平均費用および発生する平均ＣＯ２がエンドユーザーを導く（ガイドする）ために表示される。現在のＳＯＣに基づきマイルを調整するためのスライドも表示される。現在のＳＯＣも表示される。
【００３９】
図９は、本システムに接続された装置上で実行するアプリケーションの別の例のスクリーンショットである。
【００４０】
図１０は、本システムに接続された装置上で実行するアプリケーションのスクリーンショットであり、その中に充電スケジュールが表示されている。次のまたは予定された充電が行動に基づいて予測されてエンドユーザーに表示される。代替として、エンドユーザーは、次のまたは予定された充電のプラグインおよびプラグアウト時間を変更するために更新ができる。費用またはＣＯ２を下げるために充電の最適量を選択する方法を示す色段階目盛りガイドバーも表示されている。このバーの目盛りは以下のいずれか、または組合せに基づいて変更できるが、それらに制限されない：
・プラグインおよびプラグアウトの時間の変更
・関連するエネルギー価格の変更
・総電流も管理されている自動車のグループに対する総電流の変更
【００４１】
付属書類−主要な特徴
【００４２】
このセクションは、最も重要な高レベルの特徴（Ａ−＞Ｆ）を要約する；本発明の実施態様は、これらの高レベル特徴の１つ以上、またはこれらのいずれかの任意の組合せを含み得る。従って、各高レベル特徴は潜在的に独立した（ｓｔａｎｄ−ａｌｏｎｅ）発明であり、任意の１つ以上の他の高レベル特徴もしくは複数の特徴または「任意選択（ｏｐｔｉｏｎａｌ）」特徴のいずれかと組み合わされ得ることに留意されたい。
【００４３】
Ａ．動的負荷管理
【００４４】
多数の電気自動車および多数の充電ポイントが接続される送電網のための送電網管理システムであって、各充電ポイントは電力供給装置および電力供給装置を電気自動車に接続する電力インタフェースを含み、
本システムは、個々の電気自動車の特性および／または接続された個々の充電ポイントの特性を考慮に入れることによって、送電網上の負荷を動的に管理する負荷管理モジュールを含む。
【００４５】
多数の電気自動車および多数の充電ポイントが接続される送電網のための送電網管理システムであって、各充電ポイントは電力供給装置および電力供給装置を電気自動車に接続する電力インタフェースを含み、
本システムは、個々の電気自動車の特性および／または接続された個々の充電ポイントの特性を考慮に入れることによって、電気自動車の送電網に対する価値または有用性を動的に評価する負荷管理モジュールを含む。
【００４６】
多数の電気自動車および多数の充電ポイントが接続される送電網のための送電網管理システムであって、各充電ポイントは電力供給装置および電力供給装置を電気自動車に接続する電力インタフェースを含み、
本システムは、システムが特定の充電ポイントと特定の自動車との間の自動車電力接続の制御能力を判断できるようにするテスト制御シーケンスを実行する負荷管理モジュールを含む。
【００４７】
多数の電気自動車および多数の充電ポイントが接続される送電網のための送電網管理システムであって、各充電ポイントは電力供給装置および電力供給装置を電気自動車に接続する電力インタフェースを含み、
本システムは、充電パターンまたは電力出力値のシーケンスを充電ステーションまたは自動車に適用し、充電ステーションまたは自動車の行動の特性を検出して、将来の充電が最適化されるのを可能にする負荷管理モジュールを含む。
【００４８】
任意選択：
・負荷管理モジュールは、充電ポイントにおける電力需給を考慮に入れることによって、送電網上の負荷を動的に管理する
・電気自動車の特性は、自動車の製造業者、モデル、自動車オプション、最高速度、ユーザー行動の履歴、電池特性を含む。
・充電ポイントの特性は、充電ポイントの製造業者、モデル、特徴／機能、電力変調技術、自動車インタフェースの電力のタイプ、送電網内の地理的位置を含む。
・負荷管理モジュールは、各充電ポイントから引き出すことができる最大電力、および自動車に供給できる最大電力を計算する。
・負荷管理モジュールは、複数の充電ポイントにおいて電力需給をリアルタイムで管理する。
・電力インタフェースはケーブルである。
・電力インタフェースは無線電力インタフェースである。
・電気自動車が充電ポイントにアクセスするとき、本システムは、電気自動車の特性をリアルタイムで検出する。
・本システムは、固有の充電パターンまたはモデルを検出された特性の関数として判断する。
・充電ポイントは専用の電気自動車充電ステーション、または家庭内の電源ソケットである。
【００４９】
Ｂ．次の充電事象のパラメータを含む動的負荷管理
【００５０】
多数の電気自動車および多数の充電ポイントが接続される送電網のための送電網管理システムであって、各充電ポイントは電力供給装置および電力供給装置を電気自動車に接続する電力インタフェースを含み、
本システムは、自動車の準備が整う時間とは別に、または追加で、充電セッションに対するエンドユーザー要求を受信する負荷管理モジュールを含む。
【００５１】
多数の電気自動車および多数の充電ポイントが接続される送電網のための送電網管理システムであって、各充電ポイントは電力供給装置および電力供給装置を電気自動車に接続する電力インタフェースを含み、
本システムは、エンドユーザーが移動したい距離の関数、または必要な電気の量に関連する別のパラメータとして、必要な電気の価格のマトリックスもしくはグリッドもしくはリストをエンドユーザーに提示する負荷管理モジュールを含む。
【００５２】
任意選択：
・エンドユーザー要求は、次の１つ以上を含む：費用、使用電力に関連した排出量、使用電力に関連した炭素、エネルギーミックス、異なるエネルギー源またはタイプのセットからの特定のエネルギー源またはタイプ、異なる供給者のセットからの、特定のエネルギー供給者。
・エンドユーザーは、異なるエンドユーザー要求の間で優先順位を設定することが可能である。
・負荷管理モジュールは、エンドユーザー要求を考慮に入れて、電力を送電網から自動車へ供給する最適な費用効率の時間および／または期間を計算する。
・負荷管理モジュールは、エンドユーザー要求を考慮に入れて、環境影響に基づき、電力を送電網から自動車へ供給する最適な時間および／または期間を計算する。
・次の充電セッションのパラメータは、充電が必要な時間もしくは日付、必要な距離または必要な電力を含む。
・負荷管理モジュールは、ユーザー行動の履歴を受信して記録する。
・負荷管理モジュールはユーザー要求およびユーザー行動を追跡して記録する。
・機械学習技術は将来の自動車の使用を予測するために使用される。
・エンドユーザー要求は、接続された装置上で実行しているアプリケーションを介して受信される。
【００５３】
Ｃ．次の使用の予測
【００５４】
多数の電気自動車および多数の充電ポイントが接続される送電網のための送電網管理システムであって、各充電ポイントは電力供給装置および電力供給装置を電気自動車に接続する電力インタフェースを含み、
本システムは、次の１つ以上：エンドユーザーが次に自動車を必要とする時、彼らが必要とするマイル数ならびにその次の走行に対して自動車を準備することで予想される費用および環境への影響、をエンドユーザーに対して予測する負荷管理モジュールを含む。
【００５５】
任意選択：
・環境影響は、現在の気象データおよび気象予測データを考慮に入れる。
・負荷管理は、自動車上の遠隔測定システムまたは充電ポイント通信のいずれかを通して収集されたデータの組合せを通して自動車の使用およびアイドル時間を追跡することによって、そのエンドユーザーが次に自動車を必要とする時期を予測する。
・負荷管理は、広範な時系列データセットにわたる機械学習アルゴリズムによって、そのエンドユーザーが次に自動車を必要とする時期を予測する。
・ドライバーは、以下のフィードバックを本システムに提供する：その自動車を次の予測より遅かれ早かれ必要とすること、予測よりも長いかもしくは短い移動を必要とすること、または自動車の再充電の費用もしくは環境影響を最適化したいこと。
・システムは予想される費用をエンドユーザーに出力する。
・システムは予想される環境影響をエンドユーザーに出力する。
・システムは、共有輸送ソリューション、自転車または公共交通機関などの他の利用可能な選択肢を出力する。
【００５６】
Ｄ．次の充電事象の予測
【００５７】
多数の電気自動車および多数の充電ポイントが接続される送電網のための送電網管理システムであって、各充電ポイントは電力供給装置および電力供給装置を電気自動車に接続する電力インタフェースを含み、
本システムは、電気自動車充電事象を確率モデルに基づいて予測する予測モジュールを含み、確率モデルは履歴充電関連データの分析から導出される。
【００５８】
任意選択：
・確率モデルは、モデル予測の軌道追跡を通してリアルタイムで改善される
・充電関連データは、電気自動車特性、エンドユーザープロファイル、および充電ポイント特性を含む。
・予測モジュールは、次のプラグインおよびプラグアウト事象を予測するために、電気自動車がプラグインおよびプラグアウトされるたびに追跡して記録する。
・予測モジュールは、プラグインおよびプラグアウト事象における充電状態を追跡して記録する。
・予測モジュールは次の走行のエネルギー必要量を予測する。
・予測モジュールは予測された次の走行と関連付けられた最適化充電プロファイルのパラメータを出力する。
・予測モジュールは、電気自動車の大きなグループの集合的な行動を予測する。
【００５９】
Ｅ．固有の充電パターンの格納
【００６０】
電気自動車充電パターンを上で定義された通りに格納するデータベース。
【００６１】
任意選択：
・データベースは様々なグループに分類され、グループはエンドユーザープロファイル、電気自動車特性および充電ポイント特性に基づく。
【００６２】
Ｆ．ＥＶ特性の自動検出
【００６３】
電気自動車がプラグインされると、システムが電気自動車およびその特性を自動的に検出し、エンドユーザーによって必要とされる次の走行を予測して、その予測された走行と関連付けられた最適化された次の充電セッションのパラメータをエンドユーザーに出力する、電気自動車充電システム。
【００６４】
任意選択：
・エンドユーザーに対して最適化された次の充電セッションのパラメータは、接続された装置上で実行しているアプリケーションに出力される。
【００６５】
注記
上記の構成は、本発明の原理の適用を例示するにすぎないことを理解されたい。本発明の精神および範囲から逸脱することなく、多数の修正および代替の配置を考案することができる。本発明は、図面で示され、本発明の最も実用的で好ましい例（複数可）であると現在、見なされるものに関連して詳細に十分に前述されているが、本明細書に記載のとおり、本発明の原理および概念から逸脱することなく、多数の修正が行われ得ることが当業者には明らかであろう。
【図１】
2021536725.tif 000003
【図２】
2021536725.tif 000004
【図３】
2021536725.tif 000005
【図４】
2021536725.tif 000006
【図５】
2021536725.tif 000007
【図６】
2021536725.tif 000008
【図７】
2021536725.tif 000009
【図８】
2021536725.tif 000010
【図９】
2021536725.tif 000011
【図１０】
2021536725.tif 000012
【国際調査報告】
2021536725.tif 000013
2021536725.tif 000014
2021536725.tif 000015